【手続補正書】
【提出日】平成19年8月6日(2007.8.6)
【手続補正１】
【補正対象書類名】明細書
【補正対象項目名】特許請求の範囲
【補正方法】変更
【補正の内容】
【特許請求の範囲】
【請求項１】
シートまたはストリップ形状であり、不透明または透明なオリジナル上に含まれる計測範囲の自動光電計測装置であって、
オリジナル用の挿入口を有するハウジングと、
オリジナルをハウジング内に自動的に取り込み、かつオリジナルを移送経路に沿って移送するための移送構造体と、
光電計測装置の検出器と、
移送部材及びスペクトル計測装置と共に協働するコントローラと、を含み、
前記検出器は、オリジナル上に含まれた計測範囲に規定品質の光を照射し、オリジナル上の計測されつつある計測範囲から照射又は透過された計測光を受光し、かつ計測光を計測範囲の色特性を示す電気信号に変換し、前記光電計測装置は、オリジナル上の計測された計測範囲のスペクトルを示す電気信号を発生するためのスペクトル計測装置として構成されており、
前記コントローラは、オリジナルの挿入及び移送を制御するために移送部材及びスペクトル計測装置と協働し、スペクトル計測装置から発生した電気信号をデジタル計測データに変換し、外部のコンピュータとさらなる処理によって接続用インタフェースに前記デジタル計測データを供給することを特徴とする、装置。
【請求項２】
計測された計測範囲の色の濃度を少なくとも赤、青、そして緑色で示す電気信号を発生するために、前記コントローラと共に協働する、追加の濃度計測装置をさらに含んでいることを特徴とする請求項１に記載の装置。
【請求項３】
前記スペクトル計測装置をオリジナルの移送経路を横切るように調節するため、前記コントローラで制御される調節構造体をさらに含み、この調整構造体により、２次元計測範囲配列を有するオリジナルの計測範囲を計測可能にすることを特徴とする請求項１に記載の装置。
【請求項４】
前記調節構造体はさらに、前記濃度計測装置をオリジナルの移送経路を横切るように調節するために構成されていることを特徴とする請求項２に記載の装置。
【請求項５】
前記スペクトル計測装置は、透過計測用として構成され、さらに光を照射して透明なオリジナルを透過する光源を含んでおり、前記光源は、前記スペクトル計測装置と共に横切るために調整可能であることを特徴とする請求項３に記載の装置。
【請求項６】
前記濃度計測装置は、透過計測用として構成され、さらに光を照射して透明なオリジナルを透過する光源を含んでおり、前記光源は、前記濃度計測装置と共に横切るために調整可能であることを特徴とする請求項４に記載の装置。
【請求項７】
さらに白色基準範囲を含み、ここで、
前記調節構造体は、前記コントローラの制御下で白色基準範囲の近くに前記スペクトル計測装置を位置決めるものであり、
前記スペクトル計測装置は、白色基準範囲をスペクトル的に計測できるように構成され、
前記コントローラは、白色基準範囲のスペクトル計測データに基づいて自動ホワイトバランス較正を行えるように構成されていることを特徴とする請求項３に記載の装置。
【請求項８】
オリジナル上の計測範囲の配列を示す形状配置データを、多数の異なる形式のオリジナル用に前記コントローラ内に記憶し、前記コントローラは、
あらかじめ決められたコード範囲の発生したデジタル計測データから、オリジナル形式用の特有でかつあらかじめ決められたコード範囲の色によって確定されたオリジナル識別コードを区別し、
前記識別コードを含むオリジナル形式用の確定されたオリジナル識別コードに基づいて、記憶された形状配置データを選別し、
さらに、選別された形状配置データに基づくオリジナル上の個々の計測範囲の計測を制御するように構成されていることを特徴とする請求項１に記載の装置。
【請求項９】
コード範囲から発生するデジタル計測データからオリジナル識別コードを確定するために前記コントローラが構成され、
前記オリジナル識別コードは、確定されたコード範囲の色より形成され、
前記コントローラは、オリジナル識別コードから該当するデジタルオリジナル識別データを形成し、かつ前記デジタルオリジナル識別データを該当するオリジナルのデジタル計測データに割り当てることを特徴とする請求項１に記載の装置。
【請求項１０】
前記コントローラは、オリジナル上の位置コードを確定できるように構成され、
前記位置コードは、あらかじめ決められた位置範囲の色から形成され、
前記コントローラは、前記位置範囲から発生するデジタル計測データから位置コードを確定し、そして前記コントローラは、位置コードを使用してオリジナルの個々の計測範囲の計測を制御することを特徴とする請求項１に記載の装置。
【請求項１１】
前記コントローラに接続可能でかつ前記コントローラと相互作用するバーコード読取器をさらに含み、
前記バーコード読取器は、オリジナル識別コードをバーコード形式で前記コントローラ内に読み込むために構成され、
前記コントローラは、回収したオリジナル識別コードまたはここから引き出されたオリジナル識別データを、該当するオリジナルのデジタル計測データに割り当てるように構成されていることを特徴とする請求項１に記載の装置。
【請求項１２】
ハウジング内の移送経路が実質的にＵ字形状であり、このためオリジナルが実質的に１８０度に転向可能であることを特徴とする請求項１に記載の装置。
【請求項１３】
挿入口から第１出口まで移送経路が延び、挿入口と同様にハウジングの同一側部上に前記第１出口を配置していることを特徴とする請求項１２に記載の装置。
【請求項１４】
挿入口と反対方向に第２出口がハウジングの側部上に配置され、この中で移送経路が調節可能であり、ここにおいて前記移送経路は挿入口から第１出口または第２出口のいずれか一方に延びることを特徴とする請求項１３に記載の装置。
【請求項１５】
シリアルインタフェースを外部のコンピュータとの双方向通信用に含み、前記シリアルインタフェースは、デジタル計測データを外部のコンピュータに送信し、かつ外部のコンピュータを利用して装置の機能及び形状配置を制御するために前記コントローラと協働することを特徴とする請求項１に記載の装置。
【請求項１６】
ＵＳＢインタフェースを外部のコンピュータとの双方向通信用に含み、前記ＵＳＢインタフェースは、デジタル計測データを外部のコンピュータに送信し、かつ外部のコンピュータを利用して装置の機能及び形状配置を制御するために前記コントローラと協働することを特徴とする請求項１に記載の装置。
【請求項１７】
ネットワークインタフェースをデータネットワーク経由で外部のコンピュータとの双方向通信用に含み、前記ネットワークインタフェースは、デジタル計測データを外部のコンピュータに送信し、かつ外部のコンピュータを利用して装置の機能及び形状配置を制御するために前記コントローラと協働することを特徴とする請求項１に記載の装置。
【請求項１８】
モデムを電話ネットワーク及びまたはインターネット経由で外部のコンピュータとの双方向通信用に含み、前記モデムは、デジタル計測データを外部のコンピュータに送信し、かつ外部のコンピュータを利用して装置の機能及び形状配置を制御するためにコントローラと協働することを特徴とする請求項１に記載の装置。
【請求項１９】
前記ネットワークインタフェースと前記コントローラの間に規格回線を供給するためにさらに増設回線を含んでいることを特徴とする請求項１７に記載の装置。
【請求項２０】
前記モデムと前記コントローラの間に規格回線を供給するためにさらに増設回線を含んでいることを特徴とする請求項１８に記載の装置。
【請求項２１】
前記コントローラは、電子メール用ソフトウエアを含み、インタフェース経由で電子メールをインターネットに送信しかつインターネットから電子メールを受信し、電子メールを介して外部のコンピュータとの通信が行われることを特徴とする請求項１に記載の装置。
【請求項２２】
前記コントローラは、デジタル計測データ、形状配置及び制御データを、電子メールに添付して外部のコンピュータに送信し、かつデジタル計測データ、形状配置及び制御データを、電子メールに添付して外部のコンピュータから受信するように構成されていることを特徴とする請求項２１に記載の装置。
【請求項２３】
前記コントローラは、デジタル計測データをＩＴ８形式で供給し、従って前記コントローラは、デジタル計測データをＩＴ８形式で電子メールに添付して送信することを特徴とする請求項２２に記載の装置。
【請求項２４】
前記コントローラは、さらに光学式ディスプレイ構成要素を含み、前記光学式ディスプレイ構成要素は、コントローラと協働して、外部のコンピュータから電子メール形式で受信されたメッセージをディスプレイ構成要素に表示するようにを構成されていることを特徴とする請求項２１に記載の装置。
【請求項２５】
写真製品構成要素の設定を試験するための試験用オリジナルであって、
使用用途に対応する複数の計測範囲を含み、試験用オリジナル上に備えた機械が読み込めるコードを含み、前記コードは、オリジナルの種類に関する情報と使用されるオリジナル製品構成要素に関する情報の両方またはいずれか一方を含んでいることを特徴とする試験用オリジナル。
【請求項２６】計測装置内への挿入の際、計測範囲を計測するのに最適なオリジナルの方向を自動的に決定するコードをさらに含むことを特徴とする請求項２５に記載の試験用オリジナル。
【請求項２７】
使用されるオリジナルの製品構成要素に関する情報を有するバーコードをさらに含むことを特徴とする請求項２５に記載の試験用オリジナル。
【請求項２８】
前記コードが１つまたはそれ以上の色付けされたコード範囲で形成されることを特徴とする請求項２５または請求項２６に記載の試験オリジナル。
【手続補正２】
【補正対象書類名】明細書
【補正対象項目名】００２６
【補正方法】変更
【補正の内容】
【００２６】
本発明のさらに重要な特徴に従い、本装置は一体化した白色基準範囲４０を備える。この白色基準範囲４０は、図２及び図３に示されるように、計測装置１０及び２０の操作路の右端部付近で、オリジナルの平面上に配置される。この白色基準範囲４０はスペクトル計測装置１０によって調べられかつ計測されるが、この操作はある時間差を置くか、または例えばオリジナルの各々の計測後に行われる。従って欧州特許公開０８７８７０４号が開示する実施形態例のように、入手されたこの（スペクトル）デジタル計測データを使用して、コントローラ１００は公知の方法でホワイトバランスの自動較正（automatic white calibration）を行う。必要ならば、白色基準範囲４０はまた濃度計測装置のキャリブレーションに使用することができる。単一の白色基準範囲４０の代わりに、異なる色または灰色調の複数の基準範囲をキャリブレーションのために使用することも可能である。またこの点は欧州特許公開０８７８７０４号でより詳しく記載されている。